(57)【要約】【課題】電磁誘導加熱装置を大型化することなく、定着ベルトの非通紙領域の過昇温の発生を適切なタイミングで抑制することが可能な定着装置を提供する。【解決手段】未定着画像が形成された記録シートを定着ニップに通紙し、熱定着する定着装置5であって、定着ベルト54の周面の内、最大サイズの記録シートが通紙される最大通紙領域を、その幅に対応する加熱幅で電磁誘導加熱する電磁誘導加熱装置52と、最大通紙領域の内、最大サイズの記録シートよりも小サイズの記録シートが通紙される小サイズ通紙領域を、その幅に対応する加熱幅で輻射加熱し、小サイズ通紙領域を除く端部領域の加熱を抑制するショートヒータ533と、を備え、熱定着時に端部領域における昇温量を監視し、昇温量が閾値を超える場合に定着ベルト54の加熱をショートヒータ533による加熱に切替える。【選択図】図２
2012027333.tif 000002
【特許請求の範囲】
【請求項１】
回転体の周面を加圧部材で押圧して定着ニップを形成し、未定着画像が形成された記録シートを前記定着ニップに通紙し、未定着画像を熱定着する定着装置であって、
前記回転体の周面の内、最大サイズの記録シートが通紙される最大通紙領域を、その幅に対応する加熱幅で電磁誘導加熱する電磁誘導加熱手段と、
前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する輻射加熱手段と、
熱定着時に前記端部領域における昇温量を監視する監視手段と、
前記電磁誘導加熱手段による加熱と、前記輻射加熱手段による加熱とを切替える切替制御手段と、
を備え、
前記切替制御手段は、電磁誘導加熱時に前記昇温量が閾値を超える場合に前記回転体の加熱を前記輻射加熱手段による加熱に切替える
ことを特徴とする定着装置。
【請求項２】
前記監視手段は、
前記端部領域における温度を検出する第１温度検出手段と、
前記小サイズ通紙領域における温度を検出する第２温度検出手段と、
前記第１温度検出手段により検出された温度から、前記第２温度検出手段により検出された温度を差し引いた値が、前記閾値を超えるか否かを判定する判定手段と、
を有することを特徴とする請求項１に記載の定着装置。
【請求項３】
前記最大通紙領域の幅に対応する加熱幅で前記最大通紙領域を輻射加熱する最大領域輻射加熱手段を備え、
前記切替制御手段は、熱定着動作の開始指示を待つ待機状態にあるときに、前記回転体の回転を停止させた状態で、前記回転体の加熱を前記最大領域輻射加熱手段による加熱に切替える
ことを特徴とする請求項２に記載の定着装置。
【請求項４】
前記第１及び第２温度検出手段は、前記回転体の周面の内、前記電磁誘導加熱手段と対向する領域を除く領域における温度を検出できる位置にそれぞれ配置され、
前記切替制御手段は、電磁誘導加熱時に、前記第１及び第２温度検出手段により検出された何れかの温度が下限値以下になった場合に、電磁誘導加熱を停止する
ことを特徴とする請求項３記載の定着装置。
【請求項５】
前記切替制御手段は、前記温度が前記下限値以下になった場合に、異常があることを報知する
ことを特徴とする請求項４記載の定着装置。
【請求項６】
前記回転体は、定着部材と加熱ローラとによって張架されて周回駆動する無端状のベルトであり、
前記加圧部材は、前記ベルトを介して前記定着部材を押圧して前記定着ニップを形成し、
前記輻射加熱手段は、ヒータであり、前記加熱ローラの内部に配置されている
ことを特徴とする請求項１〜５の何れかに記載の定着装置。
【請求項７】
前記回転体は、定着部材と加熱ローラとによって張架されて周回駆動する無端状のベルトであり、
前記加圧部材は、前記ベルトを介して前記定着部材を押圧して前記定着ニップを形成し、
前記輻射加熱手段及び前記最大領域輻射加熱手段は、ヒータであり、前記加熱ローラの内部にそれぞれ配置されている
ことを特徴とする請求項３に記載の定着装置。
【請求項８】
回転体の周面を加圧部材で押圧して定着ニップを形成し、未定着画像が形成された記録シートを前記定着ニップに通紙し、未定着画像を熱定着する定着装置であって、
前記回転体の周面の内、最大サイズの記録シートが通紙される最大通紙領域を、その幅に対応する加熱幅で電磁誘導加熱する電磁誘導加熱手段と、
前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する第一輻射加熱手段と、
前記最大通紙領域の幅に対応する加熱幅で前記最大通紙領域を輻射加熱する第二輻射加熱手段と、
熱定着すべき記録シートのサイズに関する情報を取得する取得手段と、
前記電磁誘導加熱手段による加熱と、前記第一輻射加熱手段による加熱と、前記第二輻射加熱手段による加熱とを切替える切替制御手段と、
を備え、
前記切替制御手段は、取得した記録シートのサイズが前記小サイズである場合に、前記回転体の加熱を当該記録シートの熱定着時に前記第一輻射加熱手段による加熱に切替え、熱定着動作の開始指示を待つ待機状態にある場合に、前記回転体の回転を停止させた状態で、前記回転体の加熱を前記第二輻射加熱手段による加熱に切替える
ことを特徴とする定着装置。
【請求項９】
請求項１〜８の何れかに記載の定着装置を備える画像形成装置。
【請求項１０】
回転体の周面を加圧部材で押圧して定着ニップを形成し、未定着画像が形成された記録シートを前記定着ニップに通紙し、未定着画像を熱定着する定着装置における定着方法であって、
前記回転体の周面の内、最大サイズの記録シートが通紙される最大通紙領域を、その幅に対応する加熱幅で電磁誘導加熱する電磁誘導加熱ステップと、
前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する輻射加熱ステップと、
熱定着時に前記端部領域における昇温量を監視する監視ステップと、
前記電磁誘導加熱ステップによる加熱と、前記輻射加熱ステップによる加熱とを切替える切替制御ステップと、
を含み、
前記切替制御ステップは、電磁誘導加熱時に前記昇温量が閾値を超える場合に前記回転体の加熱を前記輻射加熱ステップによる加熱に切替える
ことを特徴とする定着方法。
【請求項１１】
前記監視ステップは、
前記端部領域における温度を検出する第１温度検出ステップと、
前記小サイズ通紙領域における温度を検出する第２温度検出ステップと、
前記第１温度検出ステップにおいて検出された温度から、前記第２温度検出ステップにおいて検出された温度を差し引いた値が、前記閾値を超えるか否かを判定する判定ステップと、
を含むことを特徴とする請求項１０に記載の定着方法。
【請求項１２】
前記最大通紙領域の幅に対応する加熱幅で前記最大通紙領域を輻射加熱する最大領域輻射加熱ステップを含み、
前記切替制御ステップは、熱定着動作の開始指示を待つ待機状態にあるときに、前記回転体の回転を停止させた状態で、前記回転体の加熱を前記最大領域輻射加熱ステップによる加熱に切替える
ことを特徴とする請求項１１に記載の定着方法。
【請求項１３】
前記第１及び第２温度検出ステップは、前記回転体の周面の内、直接電磁誘導加熱を受ける領域を除く領域に位置している前記周面の温度を検出し、
前記切替制御ステップは、電磁誘導加熱時に、前記第１及び第２温度検出ステップおいて検出された何れかの温度が下限値以下になった場合に、電磁誘導加熱を停止する
ことを特徴とする請求項１２記載の定着方法。
【請求項１４】
前記切替制御ステップは、前記温度が前記下限値以下になった場合に、異常があることを報知する
ことを特徴とする請求項１３記載の定着方法。
【請求項１５】
回転体の周面を加圧部材で押圧して定着ニップを形成し、未定着画像が形成された記録シートを前記定着ニップに通紙し、未定着画像を熱定着する定着装置における定着方法であって、
前記回転体の周面の内、最大サイズの記録シートが通紙される最大通紙領域を、その幅に対応する加熱幅で電磁誘導加熱する電磁誘導加熱ステップと、
前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する第一輻射加熱ステップと、
前記最大通紙領域の幅に対応する加熱幅で前記最大通紙領域を輻射加熱する第二輻射加熱ステップと、
熱定着すべき記録シートのサイズに関する情報を取得する取得ステップと、
前記電磁誘導加熱ステップによる加熱と、前記第一輻射加熱ステップによる加熱と、前記第二輻射加熱ステップによる加熱とを切替える切替制御ステップと、
を含み、
前記切替制御ステップは、取得した記録シートのサイズが前記小サイズである場合に、前記回転体の加熱を当該記録シートの熱定着時に前記一輻射加熱ステップによる加熱に切替え、熱定着動作の開始指示を待つ待機状態にある場合に、前記回転体の回転を停止させた状態で、前記回転体の加熱を前記第二輻射加熱ステップによる加熱に切替える
ことを特徴とする定着方法。
【発明の詳細な説明】
【技術分野】
【０００１】
本発明は、電磁誘導加熱方式の定着装置、定着方法及び当該定着装置を備える画像形成装置に関し、特に小サイズの記録シートを連続通紙した場合に発生する非通紙領域における過昇温を防止する技術に関する。
【背景技術】
【０００２】
プリンタ、複写機等の画像形成装置では、電磁誘導加熱方式の定着装置を利用したものが普及している。電磁誘導加熱方式の定着装置では、例えば、定着ローラの外周部に発熱層を含む定着ベルトを設け、励磁コイルによって交番磁束を発生させて定着ベルトの発熱層を誘導加熱させることにより、定着ベルトを加熱し、加熱した定着ベルト上に記録シートを通紙して記録シート上のトナー像の熱定着が行われる。
【０００３】
このように、電磁誘導加熱方式の定着装置では、発熱層を直接加熱することができるので、定着部材の熱容量を小さくすることができ、これにより、ウォームアップ時間の短縮化、熱効率の向上、及び消費電力の低減化を図ることできる。
一方、電磁誘導加熱方式の定着装置では、発熱層の熱容量が小さくなるため、小サイズの記録シートを連続通紙した場合に以下に示すような非通紙領域の過昇温の問題が生じる。
【０００４】
記録シートが通過する定着ベルト上の通紙領域では、記録シートとの接触により定着ベルト上の対応する領域（通紙領域）の熱が記録シートに奪われるのに対し、記録シートが通過しない定着ベルト上の非通紙領域では、定着ベルト上の熱が記録シートに奪われず、熱が蓄積される。その結果、定着ベルトの変形や損傷を招き、また、定着ベルト上の通紙領域と非通紙領域との温度差が大きくなり、通紙領域を所定の定着温度に維持するため励磁コイルに通電をし続けると、非通紙領域の温度が過度に上昇し、その熱の影響で近傍の定着ローラ、加圧ローラ、励磁コイル等に変形や損傷が生じやすくなるという問題が生じる。
【０００５】
この非通紙領域の過昇温を防止する技術として、例えば、特許文献１には、消磁コイルを設けて発熱分布を制御し、非通紙領域の過昇温を防止する技術が開示されている。
又、特許文献２には、定着ベルト内周面に、キュリ温度以上になると材料が非磁性化される感温磁性金属材料を配置し、この感温磁性金属材料を利用して定着ベルトの非通紙領域における磁束密度を弱め、非通紙領域の過昇温を防止する技術が開示されている。
【先行技術文献】
【特許文献】
【０００６】
【特許文献１】特開２００１−６０４９０号公報
【特許文献２】特開２００８−１５２２４７号公報
【発明の概要】
【発明が解決しようとする課題】
【０００７】
しかしながら、消磁コイルを用いて非通紙領域の過昇温を防止する場合には、励磁コイルと消磁コイルが高さ方向に重ねあわされて配置されるため、その分、定着ベルトを電磁誘導加熱する電磁誘導加熱装置が大型化してしまうという問題が生じる。
又、感温磁性金属材料を利用して非通紙領域の過昇温を防止する場合には、感温磁性金属材料の温度がキュリ温度以上になるのにある程度時間がかかるため、実際には定着ベルトの非通紙領域は過昇温の状態がしばらく続いた後に降温されることになり、昇温が続いている間の定着装置へのダメージを抑制することができないという問題が生じる。
【０００８】
本発明は、上述のような問題に鑑みて為されたものであって、電磁誘導加熱装置を大型化することなく、簡易な構成で、小サイズの記録シートを連続通紙した場合における非通紙領域の過昇温の発生を適切なタイミングで抑制することが可能な電磁誘導加熱方式の定着装置、定着方法及び当該定着装置を備える画像形成装置を提供することを目的とする。
【課題を解決するための手段】
【０００９】
上記目的を達成するため、本発明の一形態に係る画像形成装置は、回転体の周面を加圧部材で押圧して定着ニップを形成し、未定着画像が形成された記録シートを前記定着ニップに通紙し、未定着画像を熱定着する定着装置であって、前記回転体の周面の内、最大サイズの記録シートが通紙される最大通紙領域を、その幅に対応する加熱幅で電磁誘導加熱する電磁誘導加熱手段と、前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する輻射加熱手段と、熱定着時に前記端部領域における昇温量を監視する監視手段と、前記電磁誘導加熱手段による加熱と、前記輻射加熱手段による加熱とを切替える切替制御手段と、を備え、前記切替制御手段は、電磁誘導加熱時に前記昇温量が閾値を超える場合に前記回転体の加熱を前記輻射加熱手段による加熱に切替える構成とすることができる。
【００１０】
前記監視手段は、前記端部領域における温度を検出する第１温度検出手段と、
前記小サイズ通紙領域における温度を検出する第２温度検出手段と、前記第１温度検出手段により検出された温度から、前記第２温度検出手段により検出された温度を差し引いた値が、前記閾値を超えるか否かを判定する判定手段と、を有することとすることができる。
【００１１】
又、本発明の一形態に係る定着方法は、回転体の周面を加圧部材で押圧して定着ニップを形成し、未定着画像が形成された記録シートを前記定着ニップに通紙し、未定着画像を熱定着する定着装置における定着方法であって、前記回転体の周面の内、最大サイズの記録シートが通紙される最大通紙領域を、その幅に対応する加熱幅で電磁誘導加熱する電磁誘導加熱ステップと、前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する輻射加熱ステップと、熱定着時に前記端部領域における昇温量を監視する監視ステップと、前記電磁誘導加熱ステップによる加熱と、前記輻射加熱ステップによる加熱とを切替える切替制御ステップと、を含み、前記切替制御ステップは、電磁誘導加熱時に前記昇温量が閾値を超える場合に前記回転体の加熱を前記輻射加熱ステップによる加熱に切替える構成とすることができる。
【００１２】
前記監視ステップは、前記端部領域における温度を検出する第１温度検出ステップと、前記小サイズ通紙領域における温度を検出する第２温度検出ステップと、
前記第１温度検出ステップにおいて検出された温度から、前記第２温度検出ステップにおいて検出された温度を差し引いた値が、前記閾値を超えるか否かを判定する判定ステップと、を含むこととすることができる。
【発明の効果】
【００１３】
上記構成を備えることにより、回転体の端部領域における昇温量が閾値を越える場合に、端部領域の加熱が抑制される輻射加熱に切り換えられるので、端部領域の過昇温を迅速に抑制することができる。又、消磁コイルを用いることなく、輻射加熱手段を用いて端部領域の過昇温を抑制することができるので、電磁誘導加熱装置を大型化することなく、簡易な構成で端部領域の過昇温を抑制することができる。
【００１４】
ここで、前記定着装置は、前記最大通紙領域の幅に対応する加熱幅で前記最大通紙領域を輻射加熱する最大領域輻射加熱手段を備え、前記切替制御手段は、熱定着動作の開始指示を待つ待機状態にあるときに、前記回転体の回転を停止させた状態で、前記回転体の加熱を前記最大領域輻射加熱手段による加熱に切替えることとしてもよい。
又、前記定着方法は、前記最大通紙領域の幅に対応する加熱幅で前記最大通紙領域を輻射加熱する最大領域輻射加熱ステップを含み、前記切替制御ステップは、熱定着動作の開始指示を待つ待機状態にあるときに、前記回転体の回転を停止させた状態で、前記回転体の加熱を前記最大領域輻射加熱ステップによる加熱に切替えることとしてもよい。
【００１５】
又、本発明の一形態に係る定着装置は、回転体の周面を加圧部材で押圧して定着ニップを形成し、未定着画像が形成された記録シートを前記定着ニップに通紙し、未定着画像を熱定着する定着装置であって、前記回転体の周面の内、最大サイズの記録シートが通紙される最大通紙領域を、その幅に対応する加熱幅で電磁誘導加熱する電磁誘導加熱手段と、前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する第一輻射加熱手段と、前記最大通紙領域の幅に対応する加熱幅で前記最大通紙領域を輻射加熱する第二輻射加熱手段と、熱定着すべき記録シートのサイズに関する情報を取得する取得手段と、前記電磁誘導加熱手段による加熱と、前記第一輻射加熱手段による加熱と、前記第二輻射加熱手段による加熱とを切替える切替制御手段と、を備え、前記切替制御手段は、取得した記録シートのサイズが前記小サイズである場合に、前記回転体の加熱を当該記録シートの熱定着時に前記第一輻射加熱手段による加熱に切替え、熱定着動作の開始指示を待つ待機状態にある場合に、前記回転体の回転を停止させた状態で、前記回転体の加熱を前記第二輻射加熱手段による加熱に切替える構成とすることとしてもよい。
【００１６】
又、本発明の一形態に係る定着方法は、回転体の周面を加圧部材で押圧して定着ニップを形成し、未定着画像が形成された記録シートを前記定着ニップに通紙し、未定着画像を熱定着する定着装置における定着方法であって、前記回転体の周面の内、最大サイズの記録シートが通紙される最大通紙領域を、その幅に対応する加熱幅で電磁誘導加熱する電磁誘導加熱ステップと、前記最大通紙領域の内、最大サイズの記録シートよりも小サイズの記録シートが通紙される小サイズ通紙領域を、その幅に対応する加熱幅で輻射加熱し、前記最大通紙領域の内、前記小サイズ通紙領域を除く端部領域の加熱を抑制する第一輻射加熱ステップと、前記最大通紙領域の幅に対応する加熱幅で前記最大通紙領域を輻射加熱する第二輻射加熱ステップと、熱定着すべき記録シートのサイズに関する情報を取得する取得ステップと、前記電磁誘導加熱ステップによる加熱と、前記第一輻射加熱ステップによる加熱と、前記第二輻射加熱ステップによる加熱とを切替える切替制御ステップと、を含み、前記切替制御ステップは、取得した記録シートのサイズが前記小サイズである場合に、前記回転体の加熱を当該記録シートの熱定着時に前記一輻射加熱ステップによる加熱に切替え、熱定着動作の開始指示を待つ待機状態にある場合に、前記回転体の回転を停止させた状態で、前記回転体の加熱を前記第二輻射加熱ステップによる加熱に切替える構成とすることとしてもよい。
【００１７】
これにより、熱定着動作の開始指示を待つ待機状態にあるときは、回転体の加熱が最大通紙領域を加熱することが可能な輻射加熱に切り換えられ、回転体の回転が停止されるので、回転体の回転により騒音が発生するのを防止できるとともに、回転体の回転による磨耗の進行を防止することができる。
ここで、前記第１及び第２温度検出手段は、前記回転体の周面の内、前記電磁誘導加熱手段と対向する領域を除く領域における温度を検出できる位置にそれぞれ配置され、前記切替制御手段は、電磁誘導加熱時に、前記第１及び第２温度検出手段により検出された何れかの温度が下限値以下になった場合に、電磁誘導加熱を停止することとしてもよい。さらに、前記切替制御手段は、前記温度が前記下限値以下になった場合に、異常があることを報知することとしてもよい。
【００１８】
又、前記第１及び第２温度検出ステップは、前記回転体の周面の内、直接電磁誘導加熱を受ける領域を除く領域に位置している前記周面の温度を検出し、前記切替制御ステップは、電磁誘導加熱時に、前記第１及び第２温度検出ステップおいて検出された何れかの温度が下限値以下になった場合に、電磁誘導加熱を停止する
こととしてもよい。さらに、前記切替制御ステップは、前記温度が前記下限値以下になった場合に、異常があることを報知することとしてもよい。
【００１９】
これにより、回転体の局所領域だけが加熱される電磁誘導加熱が行われているときに、当該局所領域を除く回転体の領域における温度の低下を監視することにより、回転体の回転不良が起きているか否かを推測することができるので、回転体が回転しているか否かを検出する回転検知センサを新たに設けることなく、回転体の回転不良を検出することができ、部品コストを削減することができる。
【図面の簡単な説明】
【００２０】
【図１】プリンタ１の構成を示す図である。
【図２】定着装置５の構成を示す断面図である。
【図３】加熱ローラ５３の回転軸方向の断面図を示す。
【図４】定着ベルト５４の構成を示す断面図である。
【図５】制御部６０の構成と制御部６０の制御対象となる主構成要素との関係を示す図である。
【図６】制御部６０が行うウォームアップ時温度制御処理の動作を示すフローチャートである。
【図７】制御部６０が行う待機時温度制御処理の動作を示すフローチャートである。
【図８】制御部６０が行う熱定着時温度制御処理の動作を示すフローチャートである。
【図９】制御部６０が行う熱定着時ベルト回転不良検出処理の動作を示すフローチャートである。
【図１０】ウォームアップ時における定着ベルト５４の回転不良の検出処理の動作を示すフローチャートである。
【発明を実施するための形態】
【００２１】
(実施の形態)
以下、本発明に係る一形態の画像形成装置の実施の形態を、タンデム型カラーデジタルプリンタ（以下、単に「プリンタ」という。）に適用した場合を例にして説明する。
［１］プリンタの構成
先ず、本実施の形態に係るプリンタ１の構成について説明する。図１は、本実施の形態に係るプリンタ１の構成を示す図である。同図に示すように、このプリンタ１は、画像プロセス部３、給紙部４、定着装置５、制御部６０を備えている。
【００２２】
プリンタ１は、ネットワーク（例えばＬＡＮ）に接続され、外部の端末装置（不図示）や図示しない表示部を有する操作パネルから印刷指示を受け付けると、その指示に基づいてイエロー、マゼンタ、シアンおよびブラックの各色のトナー像を形成し、これらを記録シートへ多重転写してフルカラーの画像を形成することにより、記録シートへの印刷処理を実行する。以下、イエロー、マゼンタ、シアン、ブラックの各再現色をＹ、Ｍ、Ｃ、Ｋと表し、各再現色に関連する構成要素の番号にこのＹ、Ｍ、Ｃ、Ｋを添字として付加する。
【００２３】
画像プロセス部３は、作像部３Ｙ、３Ｍ、３Ｃ、３Ｋ、露光部１０、中間転写ベルト１１、二次転写ローラ４５などを有している。作像部３Ｙ、３Ｍ、３Ｃ、３Ｋの構成は、いずれも同様の構成であるため、以下、主として作像部３Ｙの構成について説明する。
作像部３Ｙは、感光体ドラム３１Ｙと、その周囲に配設された帯電器３２Ｙ、現像器３３Ｙ、一次転写ローラ３４Ｙ、および感光体ドラム３１Ｙを清掃するためのクリーナ３５Ｙなどを有しており、感光体ドラム３１Ｙ上にＹ色のトナー像を作像する。現像器３３Ｙは、感光体ドラム３１Ｙに対向し、感光体ドラム３１Ｙに帯電トナーを搬送する。中間転写ベルト１１は、無端状のベルトであり、駆動ローラ１２と従動ローラ１３に張架されて矢印Ｃ方向に周回駆動される。又、従動ローラ１３の下方には、中間転写ベルト上に残留するトナーを除去するためのクリーナ２１が配置されている。
【００２４】
露光部１０は、レーザダイオードなどの発光素子を備え、制御部６０からの駆動信号によりＹ〜Ｋ色の画像形成のためのレーザ光Ｌを発し、作像部３Ｙ、３Ｍ、３Ｃ、３Ｋの各感光体ドラムを露光走査する。この露光走査により、帯電器３２Ｙにより帯電された感光体ドラム３１Ｙ上に静電潜像が形成される。作像部３Ｍ、３Ｃ、３Ｋの各感光体ドラム上にも同様にして静電潜像が形成される。
【００２５】
各感光体ドラム上に形成された静電潜像は、作像部３Ｙ、３Ｍ、３Ｃ、３Ｋの
各現像器により現像されて各感光体ドラム上に対応する色のトナー像が形成され
る。形成されたトナー像は、作像部３Ｙ、３Ｍ、３Ｃ、３Ｋの各一次転写ローラ（図１では、作像部３Ｙに対応する一次転写ローラのみ符号３４Ｙを付し、他の一次転写ローラについては、符号を省略している。）により、中間転写ベルト１１上の同じ位置で重ね合わされるように、中間転写ベルト１１上にタイミングをずらして順次一次転写された後、二次転写ローラ４５による静電力の作用により中間転写ベルト１１上のトナー像が一括して記録シート上に二次転写される。
【００２６】
トナー像が二次転写された記録シートは、さらに定着装置５に搬送され、記録シート上のトナー像（未定着画像）が、定着装置５において加熱及び加圧されて記録シートに熱定着された後、排出ローラ７１により排紙トレイ７２に排出される。
給紙部４は、記録シート（図１の符号Ｓで表す）を収容する給紙カセット４１と、給紙カセット４１内の記録シートを搬送路４３上に１枚ずつ繰り出す繰り出しローラ４２と、繰り出された記録シートを二次転写位置４６に送り出すタイミングをとって記録シートを搬送するタイミングローラ対４４などを備えている。
【００２７】
給紙カセットは、１つに限定されず、複数であってもよい。記録シートとしては、大きさや厚さの異なる用紙（普通紙、厚紙）やＯＨＰシートなどのフィルムシートを利用できる。給紙カセットが複数ある場合には、大きさ又は厚さ又は材質の異なる記録シートを複数の給紙カセットに収納することとしてもよい。
タイミングローラ対４４は、中間転写ベルト１１上の同じ位置で重ね合わされるように中間転写ベルト１１上に一次転写されたトナー像が二次転写位置４６に搬送されるタイミングに合わせて、記録シートをニ次転写位置４６に搬送する。そして、二次転写位置４６において、ニ次転写ローラ４５により中間転写ベルト１１上のトナー像が一括して記録シート上に二次転写される。
【００２８】
繰り出しローラ４２、タイミングローラ４４等の各ローラは、搬送モータ（不図示）を動力源とし、歯車ギヤやベルトなどの動力伝達機構（不図示）を介して回転駆動される。この搬送モータとしては、例えば、高精度の回転速度の制御が可能なステッピングモータが使用される。
［２］定着装置の構成
次に定着装置５の構成について説明する。図２は、定着装置５の構成を示す断面図である。同図に示すように、定着装置５は、定着ローラ５１、電磁誘導加熱装置５２、加熱ローラ５３、定着ローラ５１と加熱ローラ５３とによって張架される定着ベルト５４と、定着ベルト５４を介して定着ローラ５１を押圧して定着ニップを形成する加圧ローラ５５と、加圧ローラ５５を回転駆動する加圧ローラ駆動モータ５６等から構成される。加圧ローラ５５が、加圧ローラ駆動モータ５６により回転駆動されることにより、定着ローラ５１及び定着ベルト５４が従動回転する。
【００２９】
定着ローラ５１は、円柱状の金属製の芯金５１１の外周面を、弾性層５１２で被覆して構成される。定着ローラ５１としては、例えば、外径約４０mm（芯金５１１の外径約２０mm、弾性層５１２の厚さ約１０mm）の定着ローラを用いることができる。又、芯金５１１に用いる金属としては、例えば、アルミニウム、鉄、ＳＵＳ（ステンレス）等の金属を使用することができる。弾性層５１２としては、シリコーンスポンジ、シリコーンゴム、フッ素ゴム等の弾性体を使用することができる。
【００３０】
電磁誘導加熱装置５２は、メインコア５２１と、裾コア５２２ａ、５２２ｂと、センタコア５２３と、励磁コイル５２４等から構成される。メインコア５２１、裾コア５２２ａ、５２２ｂ、センタコア５２３は、高透磁率のフェライトなどからなり、通電により励磁コイル５２４から発せられた磁束を定着ベルト５４に導く。定着ベルト５４に導かれた磁束は、定着ベルト５４の後述する発熱層（図４の発熱層５４１）における、主として電磁誘導加熱装置５２に対向する部分を貫き、当該発熱層に渦電流を発生させて当該部分を発熱させる。
【００３１】
励磁コイル５２４は、高周波インバータを含む不図示の励磁コイル駆動回路に接続され、励磁コイル駆動回路からの交流電力の供給により、定着ベルト５４の後述する発熱層を発熱させるための磁束を発生させる。
加熱ローラ５３は、円筒状の金属製の芯金５３１と、その外周面を被覆するコート層５３２とを有し、加熱ローラ５３の内部には、加熱幅がそれぞれ異なる、ショートヒータ５３３とロングヒータ５３４の２つのヒータが配置されている。加熱ローラ５３としては、例えば、外径約２５mm（芯金５３１の厚さ約０．５mm、コート層５３２の厚さ約２０μｍ）の加熱ローラを用いることができる。芯金５３１に用いる金属としては、例えば、アルミニウム、鉄、ＳＵＳ（ステンレス）等の金属を使用することができる。コート層５３２は、定着ベルト５４との磨耗による劣化防止のために設けられ、一般的なテフロン（登録商標）コートと同等の役割をする。
【００３２】
図３は、加熱ローラ５３の回転軸方向の断面図を示す。同図に示すように、加熱ローラ５３の内部には、定着ベルト５４における、小サイズの記録シート（例えば、Ａ４サイズ）が通紙される領域（以下、「小サイズ通紙領域」という。）の幅（以下、「小サイズ通紙幅」という。）に対応する加熱幅のショートヒータ５３３と、定着ベルト５４における、最大サイズの記録シート（例えば、Ａ３サイズ）が通紙される領域（以下、「最大通紙領域」という。）の幅（以下、「最大通紙幅」という。）に対応する加熱幅のロングヒータ５３４とが配置されている。ショートヒータ５３３として、例えば、８００Ｗ、発光長２０mm・１４０mm・２０mm、ヒータ配光８５％・１００％・８５％のハロゲンヒータランプを、ロングヒータ５３４として、例えば、８００Ｗ、発光長２０mm・２５０mm・２０mm、ヒータ配光１１５％・１００％・１１５％のハロゲンヒータランプを用いることができる。
【００３３】
さらに、加熱ローラ５３の端部側における定着ベルト５４の近傍の位置（最大通紙領域内で、小サイズ通紙領域外の領域（以下、「端部領域」という）に対応する位置）には、サーミスタ６１が、加熱ローラ５３の中央部付近の定着ベルト５４の近傍の位置（小サイズ通紙領域に対応する位置）には、サーミスタ６２がそれぞれ配置されている。サーミスタ６１は、定着ベルト５４の端部における定着ベルト５４の表面温度、すなわち、端部領域における表面温度を検出する。そして、サーミスタ６２は、定着ベルト５４の中央部付近における表面温度、すなわち、小サイズ通紙領域における表面温度を検出する。なお、電磁誘導加熱装置５２の加熱幅は、図３に示すように、最大通紙幅に対応している。
【００３４】
図４は、定着ベルト５４の構成を示す断面図である。定着ベルト５４は、発熱層５４１、弾性層５４２、離型層５４３がこの順に積層されて構成される無端状のベルトである。定着ベルト５４としては、例えば、外径約６０mm（発熱層５４１の厚さ約３５μｍ、弾性層５４２の厚さ約２００μｍ、離型層５４３の厚さ約２０μｍ）の定着ベルトを用いることができる。発熱層５４１は、ニッケルから構成され、電磁誘導加熱装置５２から発せられる磁束により発熱する。発熱層５４１の材料は、ニッケルに限定されず電磁誘導発熱するものであればよい。例えば、鉄や銅なども用いることもできる。
【００３５】
弾性層５４２は、耐熱性の弾性体からなる層である。弾性体としては、シリコーンゴム、シリコーンスポンジ、フッ素ゴム等を用いることができる。離型層５４３としては、例えば、ＰＦＡ（四フッ化エチレン・パーフルオロアルコキシエチレン共重合体）、ＰＴＦＥ（四フッ化エチレン）、ＦＥＰ（四フッ化エチレン・六フッ化エチレン共重合体）、ＰＦＥＰ（四フッ化エチレン・六フッ化プロピレン共重合体）等のフッ素樹脂を使用することができる。
【００３６】
図２の説明に戻って、加圧ローラ５５は、円筒状の金属製の芯金５５１と、その外周面を被覆する弾性層５５２と、弾性層５５２の外周面を被覆する離型層５５３とから構成され、加圧ローラの内部には、加圧ローラヒータ５５４が配置されている。又、加圧ローラ５５の外周面の近傍には加圧ローラの表面温度を検出するサーミスタ６３が配置されている。加圧ローラ５５としては、例えば、外径３５mm（芯金５５１の厚さ２．５mm、弾性層５５２の厚さ２．５mm、離型層５５３の厚さ約３０μｍ）の加圧ローラを用いることができる。
【００３７】
芯金５５１に用いる金属としては、例えば、アルミニウム、鉄、ＳＵＳ（ステンレス）等の金属を使用することができる。弾性層５５２としては、例えば、シリコーンゴム、シリコーンスポンジ、フッ素ゴム等の弾性体を用いることができる。離型層５５３としては、定着ベルト５４の離型層５４３と同様の材料を用いることができる。加圧ローラヒータ５５４としては、例えば、２５０Ｗ、発光長２０mm・２９０mm・２０mm、ヒータ配光１００％のハロゲンヒータランプを用いることができる。
【００３８】
［３］制御部の構成
図５は、制御部６０の構成と制御部６０の制御対象となる主構成要素との関係を示す図である。制御部６０は、所謂コンピュータであって、同図に示されるように、ＣＰＵ（Central Processing Unit）６０１、通信インターフェース（Ｉ／Ｆ）部６０２、ＲＯＭ（Read Only Memory）６０３、ＲＡＭ（Random Access Memory）６０４、画像データ記憶部６０５などを備える。
【００３９】
通信Ｉ／Ｆ部６０２は、ＬＡＮカード、ＬＡＮボードといったＬＡＮに接続するためのインターフェースである。ＲＯＭ６０３には、画像プロセス部３、給紙部４、操作パネル６を制御するためのプログラム、定着装置５のショートヒータ５３３、ロングヒータ５３４、電磁誘導加熱装置５２及び加圧ローラヒータ５５４を制御して、ウォームアップ時、待機時、熱定着時における温度制御処理を行うためのプログラムなどが格納されている。
【００４０】
ＲＡＭ６０４は、ＣＰＵ６０１のプログラム実行時のワークエリアとして用いられる。
画像データ記憶部６０５は、通信Ｉ／Ｆ部６０２や不図示の画像読取部を介して入力された、印刷用の画像データを記憶している。ＣＰＵ６０１は、ＲＯＭ６０３に格納されている各種プログラムを実行することにより、画像プロセス部３、給紙部４、操作パネル６を制御し、サーミスタ６１〜６３が検出する温度に基づいてウォームアップ時、待機時、熱定着時における後述する温度制御処理を実行する。さらに、ＣＰＵ６０１は、サーミスタ６１、６２が検出する温度に基づいて、熱定着時における後述するベルト回転不良検出処理を実行する。
【００４１】
［４］温度制御処理
図６は、制御部６０が行うウォームアップ時温度制御処理の動作を示すフローチャートである。プリンタ１の電源がオンされると（ステップＳ６０１）、制御部６０は、加圧ローラ駆動モータ５６を制御して加圧ローラ５５を回転駆動させ、定着ベルト５４を従動回転させて定着ベルト５４の周回駆動を開始する（ステップＳ６０２）。さらに、制御部６０は、電磁誘導加熱装置５２及び加圧ローラヒータ５５４への通電を開始し、定着ベルト５４の電磁誘導加熱及び加圧ローラヒータ５５４の加熱を開始する（ステップＳ６０３）。
【００４２】
そして制御部６０は、サーミスタ６１、６２、６３の検出する温度を監視し、定着ベルト５４及び加圧ローラ５５の表面温度がそれぞれの目標温度に到達するまで両者の加熱を継続し、何れか一方が先に目標温度に到達した場合には、目標温度に到達した定着ベルト５４又は加圧ローラ５５に対する通電のオン、オフを制御し、当該定着ベルト５４又は加圧ローラ５５の表面温度を目標温度に維持する（ステップＳ６０４、ステップＳ６０５）。
【００４３】
ここでは、定着ベルト５４の表面温度の目標温度を１７０℃、加圧ローラ５５の表面温度の目標温度を１００℃とする。両者の表面温度が目標温度に到達すると（ステップＳ６０５：ＹＥＳ）、制御部６０は、ウォームアップ時温度制御処理を終了し、後述する待機時温度制御処理又は熱定着時温度制御処理に移行する。
次に、制御部６０が行う待機時温度制御処理の動作について説明する。図７は、上記動作を示すフローチャートである。
【００４４】
制御部６０は、ウォームアップ時温度制御処理の終了後、操作パネル６又は通信Ｉ／Ｆ部６０２から印刷ジョブの実行指示の入力が無い場合、又は、後述する熱定着時温度制御処理において印刷ジョブ終了後、次の印刷ジョブが無い場合、電磁誘導加熱装置５２への通電をオフにして電磁誘導加熱をオフにし（ステップＳ７０１）、さらに、加圧ローラ駆動モータ５６への通電をオフにして定着ベルト５４の回転を停止する（ステップＳ７０２）。
【００４５】
次に、制御部６０は、サーミスタ６１、６２の検出温度を監視して、定着ベルト５４の表面温度が目標温度に維持されるように、ロングヒータ５３４への通電のオン・オフ制御を開始する（ステップＳ７０３）。このとき、電力消費をセーブするため、ショートヒータ５３３への通電はオフになるように制御される。又、加圧ローラヒータ５５４への通電のオン・オフ制御は、継続され、この制御により、加圧ローラ５５の表面温度は、目標温度に維持される。
【００４６】
そして、制御部６０は、操作パネル６又は通信Ｉ／Ｆ部６０２からの待機解除指示の入力があるまで、ロングヒータ５３４への通電のオン・オフ制御を継続して定着ベルト５４の表面温度を目標温度に維持する（ステップＳ７０４：ＮＯ、ステップＳ７０５）。ここで、「待機解除指示」とは、電源オフの指示、印刷ジョブ実行指示等の待機状態を解除する指示のことをいう。
【００４７】
このように、印刷ジョブが実行されない待機状態では、電磁誘導加熱がオフ状態になるように制御されるとともに、定着ベルト５４の回転が停止されるので、定着ベルトの回転動作により騒音が発生するのを防止できるとともに、回転による定着ベルトの磨耗の進行を防止することができる。
さらに、待機中は、輻射熱を発生するロングヒータにより定着ベルトの温度制御が行われるので、磁束が及ぶ範囲のみが局部的に加熱される電磁誘導加熱に比較して、輻射加熱によりヒータの発する熱を定着ベルト全体に行き渡らすことができる。従って、定着ベルトを回転させなくても、定着ベルト全体を予備加熱しておくことができ、印刷ジョブの実行指示があったときに、迅速に熱定着動作を開始することができる。
【００４８】
次に、制御部６０が行う熱定着時温度制御処理の動作について説明する。図８は、上記動作を示すフローチャートである。制御部６０は、操作パネル６又は通信Ｉ／Ｆ部６０２から印刷ジョブの実行指示を受取ると（ステップＳ８０１）、当該実行指示が待機状態においてなされた場合に（ステップＳ８０２：ＹＥＳ）、ロングヒータ５３４への通電をオフにし、さらに、加圧ローラ駆動モータ５６への通電をオンにして定着ベルト５４の回転駆動を開始する（ステップＳ８０３）。
【００４９】
そして、制御部６０は、サーミスタ６１の検出温度（ｔ０）、サーミスタ６２の検出温度（ｔ１）をそれぞれ取得し（ステップＳ８０４）、両者の差分（ｔ０−ｔ１）が閾値を超えるか否かを判定する（ステップＳ８０５）。なお、印刷ジョブの実行指示が、ウォームアップ終了後になされた場合には（ステップＳ８０２：ＮＯ）、制御部６０は、ステップＳ８０４の処理に移行する。
【００５０】
閾値を超える場合には（ステップＳ８０５：ＹＥＳ）、制御部６０は、電磁誘導加熱装置５２をオフに制御するとともに、ショートヒータ５３３へ通電のオン・オフを制御することにより、定着ベルト５４の表面温度（サーミスタ６２により検出される表面温度ｔ１）が目標温度（定着温度）に維持されるように制御し、定着ベルト５４の端部領域における昇温を抑制して両者の差分（ｔ０−ｔ１）が小さくなるようにする（ステップＳ８０６）。
【００５１】
閾値を超えない場合には（ステップＳ８０５：ＮＯ）、制御部６０は、ショートヒータ５３３をオフに制御し、電磁誘導加熱装置５２への通電を制御して定着ベルト５４の最大通紙領域の表面温度（サーミスタ６１、６２により検出される両表面温度ｔ０、ｔ１）が目標温度（定着温度）に維持されるように制御する（ステップＳ８０７）。
なお、ステップＳ８０６又はステップＳ８０７の処理において、加圧ローラヒータ５５４への通電のオン・オフ制御は、継続され、この制御により、加圧ローラ５５の表面温度は、目標温度に維持されるものとする。
【００５２】
ステップＳ８０６又はステップＳ８０７の処理を行った後、制御部６０は、記録シートに未定着画像を形成させ、さらにステップＳ８０６又はステップＳ８０７で制御された定着温度で未定着画像を記録シートに熱定着させる（ステップＳ８０８）。そして、制御部６０は、印刷ジョブが終了していない場合には（ステップＳ８０９：ＮＯ）、ステップＳ８０４の処理に移行し、印刷ジョブが終了した場合には（ステップＳ８０９：ＹＥＳ）、次に印刷ジョブが入力されているか否かを判定する（ステップＳ８１０）。
【００５３】
次の印刷ジョブが入力されている場合には（ステップＳ８１０：ＹＥＳ）、制御部６０は、ステップＳ８０４の処理に移行し、次の印刷ジョブが入力されていない場合には（Ｓ８１０：ＮＯ）、熱定着時温度制御処理を終了する。
これにより、未定着画像の熱定着時に、定着ベルト５４の小サイズ通紙領域と端部領域の表面温度を比較することにより、端部領域との温度差が閾値を超えて昇温したか否かが判定されて、閾値を超えて昇温した場合には、定着ベルト５４の加熱制御方式が、定着ベルト５４の最大通紙領域を加熱する電磁誘導加熱制御方式から、最大通紙領域の内、端部領域の昇温を抑制できるショーヒータによる加熱制御方式に切り換えられるので、端部領域の過昇温を迅速に抑制することができる。
【００５４】
又、消磁コイルを用いることなく、ヒータを用いて端部領域の過昇温を抑制することができるので、電磁誘導加熱装置を大型化することなく、簡易な構成で端部領域の過昇温を抑制することができる。
［４］ベルト回転不良検出処理
図９は、制御部６０が行う熱定着時ベルト回転不良検出処理の動作を示すフローチャートである。制御部６０は、未定着画像の熱定着時において、加圧ローラ駆動モータ５６が駆動中で、電磁誘導加熱装置５２への通電がされている場合に（ステップＳ９０１：ＹＥＳ、ステップＳ９０２：ＹＥＳ）、サーミスタ６１、６２の何れかの検出温度（ｔ）（ここでは、サーミスタ６２の検出温度とする。）を取得し（ステップＳ９０３）、当該温度（ｔ）が下限値以下か否かを判定する（ステップＳ９０４）。
【００５５】
下限値は、例えば、１２０℃とすることができる。電磁誘導加熱時に定着ベルト５４が正常に回転している場合には、定着ベルト５４の表面温度は、定着温度（例えば、１７０℃）に維持されていると考えられるが、定着ベルト５４の回転が不良の場合には、電磁誘導加熱装置５２から発せられる磁束が主として及ぶ局所範囲だけが加熱されることになり、当該局所範囲を除く範囲は、ほとんど非加熱状態となり、表面温度が著しく低下することになる。従って、電磁誘導加熱装置５２の磁束がほとんど及ばない定着ベルト５４の領域（サーミスタ６１、６２が配置されている加熱ローラ５３の近傍領域）における表面温度が、下限値以下か否かを検出することにより、電磁誘導加熱による熱定着時における定着ベルト５４の回転不良を検出することができる。
【００５６】
表面温度が下限値以下である場合（ステップＳ９０４：ＹＥＳ）、制御部６０は、電磁誘導加熱装置５２への通電をオフにし、定着ベルト５２の電磁誘導加熱をオフにする（ステップＳ９０５）。さらに、制御部６０は、操作パネル６の表示部に、定着ベルト５４の回転異常が発生している旨のメッセージを表示させる（ステップＳ９０６）。なお、当該メッセージは、音声で通知することとしてもよい。
【００５７】
これにより、定着ベルト５４が回転しているか否かを検出する回転検知センサを新たに設けることなく、定着ベルト５４の回転不良を検出することができ、部品コストを削減することができる。
（変形例）
以上、本発明を実施の形態に基づいて説明してきたが、本発明が上述の実施の形態に限定されないのは勿論であり、以下のような変形例を実施することができる。
【００５８】
（１）本実施の形態では、定着ベルト５４を加熱する形式の定着装置５を用いたが、本実施の形態に係る効果を得られる定着装置は、定着ベルト加熱形式に限定されず、他の加熱形式であってもよい。例えば、定着装置を電磁誘導加熱される発熱層を含む定着ローラと加圧ローラとで構成し、定着ローラの近傍に本実施の形態に係る電磁誘導加熱装置５２を配置し、定着ローラの内部に本実施の形態に係るショートヒータ５３３及びロングヒータ５３４を配置する構成とすることとしてもよい。
【００５９】
又、本実施の形態に係る定着装置５において、定着ローラの代わりに、固定部材を用い、定着ベルト５４を加熱ローラ５３と当該固定部材とによって張架し、定着ベルト４を介して当該固定部材を加圧ローラ５５で押圧して定着ニップを形成する構成とすることとしてもよい。
同様に、本実施の形態に係る定着装置５において、加圧ローラ５５の代わりに加圧部材を用い、当該加圧部材の内部に加熱用ヒータを配置し、定着ベルト５４を介して定着ローラ５１を当該加圧部材で押圧して定着ニップを形成する構成とすることとしてもよい。
【００６０】
（２）本実施の形態においては、熱定着時温度制御処理の動作において、小サイズ領域の定着ベルト５４の表面温度と、端部領域の定着ベルト５４の表面温度との差分をとることにより、定着ベルト５４の端部領域の昇温量を検出することとしたが、端部領域のみの温度を検出することにより、当該昇温量を検出することとしてもよい。例えば、定着ベルト５４の最大通紙領域に小サイズの記録シートを通紙した場合における端部領域の温度を実験等により予め求めておき、求めた温度と、サーミスタ６１により検出された端部領域の温度とを比較し、検出された端部領域の温度が、求めた温度以上になるか否かにより、当該昇温量を検出することとしてもよい。
【００６１】
（３）本実施の形態では、電磁誘導加熱時における定着ベルト５４の回転不良の検出を熱定着時に行うこととしたが、ウォームアップ時にも行うこととしてもよい。この場合、ウォームアップ開始後、所定時間(例えば、１０秒)経過し、定着ベルト５４の表面温度が定着温度近くまで昇温されたことが推定される時点で、サーミスタ６２の検出温度を取得し、その後、ウォームアップ動作が完了するまで、図９に示す熱定着時ベルト回転不良検出処理の動作におけるステップＳ９０３〜ステップＳ９０６と同様の処理を行うことにより、ウォームアップ時における定着ベルト５４の回転不良を検出することができる。図１０は、ウォームアップ時における定着ベルト５４の回転不良の検出処理の動作を示すフローチャートであり、図９の熱定着時ベルト回転不良検出処理の動作と同一の処理については、図９と同一のステップ番号を付与している。
【００６２】
（４）本実施の形態においては、小サイズ通紙領域に対応するショートヒータを１つとしたが、サイズの異なる小サイズ記録シートが複数ある場合には、当該記録シートのサイズに応じた複数のショートヒータを加熱ローラ５３の内部に配置し、図８に示す熱定着時温度制御処理の動作のフローチャートにおいて、昇温量が閾値を超えた時に（ステップＳ８０５：ＹＥＳ）、ステップＳ８０６において、熱定着対象となる記録シートのサイズに対応するショートヒータを選択し、選択したショートヒータを用いて定着ベルト５４の温度制御を行うこととしてもよい。
【００６３】
（５）本実施の形態における熱定着時温度制御処理では、サーミスタにより定着ベルト５４の端部領域の昇温量を検出し、電磁誘導加熱とショートヒータ加熱による温度制御を切り換えることとしたが、熱定着される記録シートが小サイズか最大サイズかによって温度制御を切り換えることとしてもよい。具体的には、熱定着される記録シートのサイズに関する情報を操作パネル６又は、通信Ｉ／Ｆ部６０２からの入力情報により取得し、当該サイズが最大サイズである場合には、図８のステップＳ８０７の温度制御を行い、当該サイズが小サイズである場合には、図８のステップＳ８０６の温度制御を行うこととしてもよい。この場合においても、図８の熱定着時温度制御処理と同様の効果が得られる。
【００６４】
（６）本実施の形態では、定着ベルト５４及び加圧ローラ５５の表面温度を検出するのにサーミスタを用いたが、表面温度の検出センサは、サーミスタに限定されず、他の温度センサを用いることとしてもよい。例えば、温度センサとしてサーモパイルを用いることとしてもよい。
【産業上の利用可能性】
【００６５】
本発明は、電磁誘導加熱方式の定着装置、定着方法及び当該定着装置を備える画像形成装置に関し、特に小サイズの記録シートを連続通紙した場合に発生する非通紙領域における過昇温を防止する技術として利用できる。
【符号の説明】
【００６６】
１                      プリンタ
３                      画像プロセス部
３Ｙ〜３Ｋ              作像部
４                      給紙部
５                      定着装置
６                      操作パネル
１０                    露光部
１１                    中間転写ベルト
１２                    駆動ローラ
１３                    従動ローラ
２１、３５Ｙ            クリーナ
３１Ｙ                  感光体ドラム
３２Ｙ                  帯電器
３３Ｙ                  現像器
３４Ｙ                  一次転写ローラ
４１                    給紙カセット
４２                    繰り出しローラ
４３                    搬送路
４４                    タイミングローラ
４５                    二次転写ローラ
４６                    二次転写位置
５１                    定着ローラ
５２                    電磁誘導加熱装置
５３                    加熱ローラ
５４                    定着ベルト
５５                    加圧ローラ
５６                    加圧ローラ駆動モータ
６０                    制御部
６１〜６３              サーミスタ
７１                    排出ローラ
７２                    排紙トレイ
【図１】
2012027333.tif 000003
【図２】
2012027333.tif 000004
【図３】
2012027333.tif 000005
【図４】
2012027333.tif 000006
【図５】
2012027333.tif 000007
【図６】
2012027333.tif 000008
【図７】
2012027333.tif 000009
【図８】
2012027333.tif 000010
【図９】
2012027333.tif 000011
【図１０】
2012027333.tif 000012